【事件の表示】
　平成１０年特許願第　８８０００号「自動原稿送り装置」拒絶査定に対する審判事件［平成１０年１２月　４日出願公開、特開平１０−３１９６５０］について、次のとおり審決する。
【結　論】
　本件審判の請求は、成り立たない。
【理　由】
１．手続の経緯、本願発明
　本願は、平成１０年３月１６日（優先権主張　平成９年３月１４日）の出願であって、その請求項１〜１０に係る発明は、平成１３年４月２３日付けの手続補正書で補正された明細書及び図面の記載からみて、その特許請求の範囲の請求項１〜１０に記載された事項により特定されるものであるところ、そのうち特に請求項３に係る発明（以下、本願発明という。）は、次のとおりのものと認める。
「【請求項３】　画像形成装置の原稿読取部を覆うように設けられ、原稿を１枚ずつ前記原稿読取部に対して供給および排紙を行い、与えられた原稿が片面原稿であって前記原稿読取部に供給した原稿を排出させる第１の複写モードと、与えられた原稿が両面原稿であって前記原稿読取部に供給した原稿を一旦送出した上で原稿を裏返して再び前記原稿読取部に戻す第２の複写モードと、２枚の原稿を並設して原稿読取部に位置づけて複写する第３の複写モードを実行する自動原稿送り装置であって、
　給紙トレイに載置された原稿を繰り出す繰出手段と、前記繰出手段で繰り出された原稿を１枚に分離して給紙する分離手段と、該分離手段にて１枚に分離された原稿を搬送方向の傾きを矯正して送るレジスト手段と、該レジスト手段にて送られた原稿を原稿読取部に沿って搬送方向および逆方向に移動させる搬送手段と、前記原稿読取部からの原稿を送る排紙送り手段と、前記排紙送り手段によって送られる原稿を排紙トレイへ導く排出路と表裏を反転して前記原稿読取部へ戻す帰還路の何れかに切り換える切換手段と、該切換手段によって前記排出路に送られた原稿を前記排紙トレイに排紙する送出手段と、正逆回転する単一の駆動源を有し、前記第１の複写モード、第２の複写モード、第３の複写モードに応じて前記駆動源からの回転動力を前記繰出手段、前記分離手段、前記レジスト手段、前記搬送手段、前記排紙送り手段、前記切換手段、前記送出手段のそれぞれに選択的に伝達する動力伝達手段と、を備えたことを特徴とする自動原稿送り装置。」（なお、【請求項３】における記載のうち、「給紙トレイに
載置され原稿
前記は
第１のモード
ぞ
載置された原稿
前記
第１の複写モード
そ
　
２．引用刊行物の記載内容
　原査定の拒絶の理由に引用された下記の刊行物には以下の事項が記載されている。
　
刊行物１：特開平６−２５５８４４号公報
1a. 「【発明の名称】自動原稿送り装置」
1b. 「【０００２】
【従来の技術】電子写真複写機や記録画像読取装置等の記録装置に対して、画像記録された原稿を能率的にかつ、無人状態でも給送できる装置としては、自動化された原稿送り装置（ＡＤＦ）が既に提供されている。」
1c. 「【０００３】また、表裏面に記録画像を有する原稿（両面原稿）の各画像を記録体の一面または両面に複写できる複写機や該画像を読取り記録できる画像読取装置として、前記ＡＤＦに原稿の表裏反転の機能に備えた自動原稿送り装置（Ｒ−ＡＤＦ装置）が実用化されている。
【０００４】このような自動原稿送り装置による原稿台ガラス（プラテンガラス）上での原稿搬送は、搬送駆動ローラと搬送従動ローラ間に巻回されて正逆回動可能な搬送ベルトにより行なわれている。」
1d. 「【０００５】上記自動原稿送り装置の原稿給送部を構成する原稿送り出し手段と分離手段とレジスト対、および該給送部からの原稿を受けて搬送しプラテンガラス上の所定位置に定位させる搬送手段とを、単一の駆動手段を正逆回転させることにより、回転方向に応じ選択して駆動させるようにしている」
1e. 「【００１２】
【実施例】以下、この発明の自動原稿送り装置の実施例を添付図面に基づいて説明する。図１はこの発明による自動原稿送り装置の全体構成図、図２は該自動原稿送り装置の給送部の断面図である。なお、図示の装置は原稿自動反転機能付の自動原稿送り装置（Ｒ−ＡＤＦ）である。これらの図によって自動原稿送り装置の構造と動作について説明する。」
【図１】
1f. 「【００１３】この発明の自動原稿送り装置（Ｒ−ＡＤＦ）は、図１に示すように複写機本体１の上に設置されており、複数枚の原稿を積載する原稿載置部10，該原稿載置部10の原稿搬送トレイ11上に載置した原稿束から１枚の原稿を画像読取部である原稿台ガラス（プラテンガラス）２上に送り出す給送部20と、該給送部20から給送された原稿を原稿台上の原稿台ガラス２の所定位置（画像露光走査位置）へと搬送する搬送部30と、画像露光終了後に該搬送部30から送り出された原稿を排出口から機外に排出、または原稿の表裏を反転して再び該原稿を再びプラテンガラス２上に返送する排紙反転部40、および排紙トレイ部50とから構成されている。」
1g. 「【００１４】まず、図１の全体構成図によって本発明の自動原稿送り装置の構造と動作ついて説明する。
【００１５】複写機本体１の側方に張り出して設置されている原稿トレイ11に、複数枚の原稿Ｄが手差しセットされ、原稿幅規制部材12により幅方向が位置決めされる。この原稿Ｄの先端は、自動原稿送り装置本体100内の給送部20の入口付近の可動ガイド板21の上方を通過してストッパ部材22に当接して停止する。この原稿停止状態では、原稿先端が揺動自在なアクチュエータ27を跳ね上げて、原稿セット検知センサＳ１からオン信号を発信しＡＤＦモードが設定される。」
1h. 「【００１６】複写機本体側のコピーボタンを押すことにより、給紙ソレノイドＳＤ１が作動し、可動ガイド板21が跳ね上がり、原稿Ｄをさばきベルト23および送り出しローラ24に圧接する。次いでモータＭの駆動により、さばきベルト23は駆動源に接続する給紙駆動軸66により回転をはじめて、リバースローラ25との協働により最上部の一枚の原稿Ｄだけが送り出される。一枚に分離されて給送される原稿Ｄの先端が、レジストローラ対（中間搬送ローラ対）26のニップ位置近傍のローラ周面に突き当たり、原稿姿勢が整えられてここで一旦停止して待機する。
【００１７】一方、レジストローラ対26の給送上流側に設けたレジストセンサＳ２が原稿先端通過を検知してエンコーダカウントによる所定計数後にレジストクラッチがオンになりレジストローラ対26が回転開始して原稿を再給送する。原稿先端がレジストローラ対26のニップ位置出口に達したとき、原稿サイズ検知センサＳ３の検知信号によって、給紙クラッチがオフとなり、さばきベルト23の駆動力伝達が断たれ以降フリー回転となり、先行の一枚の原稿Ｄのみが中間搬送ローラ対26によって搬送される。」
1i. 「【００１８】上記レジストローラ対26によって搬送された原稿Ｄは、自動原稿送り装置を使用しないとき、原稿Ｄの後端位置決めをするストッパ板４の上方を通過して、複写装置本体１の上面に設置した原稿台ガラス２と、搬送部30の搬送ベルト33の摩擦力によって搬送される。
【００１９】上記搬送ベルト33は、ハウジングの両側壁部に固定した軸受板に回転自在の搬送駆動ローラ31と搬送従動ローラ32との間に張設され、モータＭにより正逆回転可能となっている。搬送ベルト33の下側走行面は押圧ローラ34Ａ，34Ｂ，34Ｃによって原稿台ガラス２面に押しつける。35は搬送ベルト33に圧接して従動回転してベルト張力を一定に保持するテンションローラである。
【００２０】いま、原稿Ｄの後端が原稿サイズ検知センサＳ３を通過すことにより原稿Ｄのサイズが自動検知されると、レジストローラ対26の駆動軸上のエンコーダによるパルスカウントによって制御されて、原稿Ｄを所定の画像読取位置に停止させる。このあと、複写機本体１内の光学スキャンにより複写が行われる。画像読取走査後に、搬送ベルト33が正転駆動して原稿Ｄを排紙反転部40に送り込む。」
1j. 「【００２１】排紙反転部40に搬入された原稿Ｄは、ガイド板43を通って、排紙反転ローラ41、ピンチローラ42Ａ，42Ｂにニップされて搬送され、排紙反転切換手段44、排紙規制部材（可動押圧板）45、排紙ローラ46を通って機外の排紙トレイ部50に排出される。」
1k. 「【００２３】次に、図３について自動原稿送り装置の駆動系を説明する。図３は駆動系（動力伝達系）を搬送ベルト33の原稿押圧面側から見た全体構成図である。
【００２４】自動原稿送り装置本体のほぼ中央には、駆動源のモータＭがあり、その図示左方に給送部20、中央に搬送部30、右方に排紙反転部40の駆動系が配置されている。モータＭを駆動源として歯車Ｇ０，中間軸61の歯車Ｇ１を経て、該中間軸61上のプーリＰ１，Ｐ２を回転させる。プーリＰ１を巻回するベルトＢ１はプーリＰ３を有する中間搬送ローラ軸62に駆動力を伝達する。一方、中間軸61上のプーリＰ２を巻回するベルトＢ２は反転ローラ軸63に駆動力を伝達する。」
【図３】
1l. 「【００２５】前記中間搬送ローラ軸62には、駆動力をオン・オフさせるレジストクラッチＭＣ２、中間搬送プーリＰ３、エンコーダ64Ａが設けてある。該中間搬送ローラ軸62の軸上のプーリＰ４は、ベルトＢ３を介してクラッチプーリ部Ｐ６を有する搬送クラッチ軸65に駆動力を伝達する。また、前記プーリＰ３，Ｐ４と同軸上のプーリＰ５はベルトＢ４を介してプーリＰ７を有する給紙駆動軸66に駆動力を伝達する。該給紙駆動軸66には給紙クラッチＭＣ１が設けられてあり、駆動伝達をオン・オフさせる。
【００２６】搬送クラッチ軸65には、搬送クラッチ軸65の回転をオン・オフさせる搬送クラッチＭＣ３、電磁ブレーキＭＢ、エンコーダ64Ｂ、プーリＰ８が設けてあり、該プーリＰ８はベルトＢ５を介してプーリＰ９を有する搬送駆動軸67に駆動力を伝達する。該搬送駆動軸67には、搬送駆動ローラ31が一体に形成されている。該搬送駆動ローラ31と搬送従動ローラ32の間には搬送ベルト33が巻回されて回動可能になっている。なお、68Ａ，68Ｂは装置本体に固設されたフレームである。また、上記各ベルトは歯付ベルト（タイミングベルト）、各プーリは歯付プーリ（タイミングプーリ）を使用した。」
　
刊行物２：特開平６−２７７６０号公報
2a. 「【００４２】次に、ＡＤＦ６０の原稿搬送モードについて説明する。本実施例において、原稿搬送モードは、従来から行われている片面モード、両面モードの他に、プレステップモード、２イン１モード、カウントモードの６種類があり、さらに原稿停止動作として前述のスケールモードとパルス制御モードとがある。」
2b. 「【００５５】…次に、２イン１モードについて説明する。２イン１モードとは２枚の原稿を１組としてプラテンガラス２９上に並べ１枚のコピー用紙に画像を形成するモードである。図２０、図２１、図２２は２イン１モードでの原稿搬送状態を示す。」
　
刊行物３：特開平６−２０８２６８号公報
3a. 「【０００４】この自動原稿給紙装置は、前記整列モードが選択されたとき、まず給紙部が原稿束から１枚の原稿を搬送部に分離・給紙し、搬送部は先に給紙された原稿（以下、第１原稿という）を下流側に搬送して第１原稿の後端が給紙部のプルアウトローラを離脱した後、搬送ベルトを逆転させ第１原稿の後端をプルアウトローラのニップ部の下流側に当接させる。次いで、給紙部が次の原稿（以下、第２原稿という）を分離・給紙し、第２原稿の先端を前記ニップ部の上流側に当接させて第１原稿と第２原稿とを整合する。次いで、給紙部および搬送部を駆動させて２枚の原稿を給紙・搬送し前記原稿載置台上の露光位置に並置させる。そして、複写機本体が２枚の原稿画像を露光処理して１枚の記録紙にその原稿画像を複写（所謂、２ｉｎ１コピー）するようになっている。」
　
３．対比・判断
　本願発明と刊行物１に記載された発明とを対比する。
　刊行物１に記載された発明の「自動原稿送り装置（Ｒ−ＡＤＦ）」（摘記事項1c，1e，1f参照）は、「図１に示すように複写機本体１の上に設置されており、…１枚の原稿を画像読取部である原稿台ガラス（プラテンガラス）２上に送り出す…、画像露光終了後に該搬送部30から送り出された原稿」と記載されている（摘記事項1f参照）ことから、本願発明の「画像形成装置の原稿読取部を覆うように設けられ、原稿を１枚ずつ前記原稿読取部に対して供給および排紙を行」う「自動原稿送り装置」に相当する。
　また、刊行物１に記載された発明の「自動原稿送り装置（Ｒ−ＡＤＦ）」（摘記事項1c，1e，1f参照）は、「表裏面に記録画像を有する原稿（両面原稿）の各画像を記録体の一面または両面に複写できる…装置として、ＡＤＦ〔＝自動原稿送り装置〕に原稿の表裏反転の機能を備えた」ものである（摘記事項1c参照）から、本願発明の、「与えられた原稿が片面原稿であって前記原稿読取部に供給した原稿を排出させる第１の複写モード」と、「与えられた原稿が両面原稿であって前記原稿読取部に供給した原稿を一旦送出した上で原稿を裏返して再び前記原稿読取部に戻す第２の複写モード」とを実行する「自動原稿送り装置」に相当する。
　また、刊行物１に記載された発明の「原稿送り出し手段」、「分離手段」、「レジスト対」（摘記事項1d参照）、具体的には「さばきベルト23および送り出しローラ24」、「リバースローラ25」、「レジストローラ対（中間搬送ローラ対）26」（摘記事項1h参照）は、「原稿Ｄをさばきベルト23および送り出しローラ24に圧接する。次いでモータＭの駆動により、さばきベルト23は駆動源に接続する給紙駆動軸66により回転をはじめて、リバースローラ25との協働により最上部の一枚の原稿Ｄだけが送り出される。一枚に分離されて給送される原稿Ｄの先端が、レジストローラ対（中間搬送ローラ対）26のニップ位置近傍のローラ周面に突き当たり、原稿姿勢が整えられてここで一旦停止して待機する。…レジストローラ対26が回転開始して原稿を再給送する。」と記載されている（摘記事項1h参照）ことからも、本願発明の「給紙トレイに載置された原稿を繰り出す繰出手段」、「繰出手段で繰り出された原稿を１枚に分離して給紙する分離手段」、「分離手段にて１枚に分離された原稿を搬送方向の傾きを矯正して送るレジスト手段」にそれぞれ相当する。
　また、刊行物１に記載された発明の「搬送手段」（摘記事項1d参照）、具体的には「搬送ベルト33」（摘記事項1i参照）は、「給送部からの原稿を受けて搬送しプラテンガラス上の所定位置に定位させる」（摘記事項1d参照）ものであって、「原稿台ガラス（プラテンガラス）上での原稿搬送は、…正逆回動可能な搬送ベルトにより行なわれている」（摘記事項1c参照）ものであるから、また、「上記レジストローラ対26によって搬送された原稿Ｄは、…複写装置本体１の上面に設置した原稿台ガラス２と、搬送部30の搬送ベルト33の摩擦力によって搬送される。上記搬送ベルト33は、…モータＭにより正逆回転可能となっている。」と記載されている（摘記事項1i参照）ことからも、本願発明の「レジスト手段にて送られた原稿を原稿読取部に沿って搬送方向および逆方向に移動させる搬送手段」に相当する。
　また、刊行物１に記載された発明の「排紙反転ローラ41、ピンチローラ42Ａ，42Ｂ」、（摘記事項1j参照）は、「画像読取走査後に、搬送ベルト33が正転駆動して原稿Ｄを排紙反転部40に送り込む。排紙反転部40に搬入された原稿Ｄは、ガイド板43を通って、排紙反転ローラ41、ピンチローラ42Ａ，42Ｂにニップされて搬送され」と記載されている（摘記事項1i，1j参照）ことから、本願発明の「原稿読取部からの原稿を送る排紙送り手段」に相当する。
　また、刊行物１に記載された発明の「排紙反転切換手段44」（摘記事項1j参照）は、「排紙反転部40に搬入された原稿Ｄは、ガイド板43を通って、排紙反転ローラ41、ピンチローラ42Ａ，42Ｂにニップされて搬送され、排紙反転切換手段44、排紙規制部材（可動押圧板）45、排紙ローラ46を通って機外の排紙トレイ部50に排出される。」（摘記事項1j参照）と記載されるともに、「原稿の表裏反転の機能を備えた自動原稿送り装置（Ｒ−ＡＤＦ装置）」（摘記事項1c参照）の「排紙反転切換手段」であるから、本願発明の「排紙送り手段によって送られる原稿を排紙トレイへ導く排出路と表裏を反転して原稿読取部へ戻す帰還路の何れかに切り換える切換手段」に相当する。
　また、刊行物１に記載された発明の「排紙ローラ46」（摘記事項1j参照）は、「排紙反転部40に搬入された原稿Ｄは、…排紙反転切換手段44、排紙規制部材（可動押圧板）45、排紙ローラ46を通って機外の排紙トレイ部50に排出される。」（摘記事項1j参照）と記載されることから、本願発明の「切換手段によって排出路に送られた原稿を排紙トレイに排紙する送出手段」に相当する。
　また、刊行物１に記載された発明の「モータＭ」は、摘記事項1dに「単一の駆動手段を正逆回転させる」と記載されており、図３にも唯一の「駆動源」（摘記事項1k参照）として記載されていることからも、本願発明の「正逆回転する単一の駆動源」に相当する。
　また、刊行物１に記載された発明の「駆動系（動力伝達系）」（摘記事項1k参照）は、「自動原稿送り装置（Ｒ−ＡＤＦ）」（摘記事項1c参照）について「自動原稿送り装置の原稿給送部を構成する原稿送り出し手段と分離手段とレジスト対、および…搬送手段とを、単一の駆動手段を正逆回転させることにより、回転方向に応じ選択して駆動させるようにしている」（摘記事項1d参照）と記載され、また、「モータＭを駆動源として歯車Ｇ０，中間軸61の歯車Ｇ１を経て、該中間軸61上のプーリＰ１，Ｐ２を回転させる。…中間軸61上のプーリＰ２を巻回するベルトＢ２は反転ローラ軸63に駆動力を伝達する。」（摘記事項1k参照）と記載され、一方、反転ローラ軸63は排紙反転ローラ41（本願発明の「排紙送り手段」に相当する。）の軸である（図３，図１参照）し、図３には、反転ローラ軸63から排紙ローラ46（図３，図１参照）に回転動力を伝達することも記載されているから、結局のところ、本願発明の「第１の複写モード、第２の複写モードに応じて駆動源からの回転動力を繰出手段、分離手段、レジスト手段、搬送手段、排紙送り手段、切換手段、送出手段のそれぞれに選択的に伝達する動力伝達手段」に相当する。
　したがって、両者は、
「画像形成装置の原稿読取部を覆うように設けられ、原稿を１枚ずつ前記原稿読取部に対して供給および排紙を行い、与えられた原稿が片面原稿であって前記原稿読取部に供給した原稿を排出させる第１の複写モードと、与えられた原稿が両面原稿であって前記原稿読取部に供給した原稿を一旦送出した上で原稿を裏返して再び前記原稿読取部に戻す第２の複写モードを実行する自動原稿送り装置であって、
　給紙トレイに載置された原稿を繰り出す繰出手段と、前記繰出手段で繰り出された原稿を１枚に分離して給紙する分離手段と、該分離手段にて１枚に分離された原稿を搬送方向の傾きを矯正して送るレジスト手段と、該レジスト手段にて送られた原稿を原稿読取部に沿って搬送方向および逆方向に移動させる搬送手段と、前記原稿読取部からの原稿を送る排紙送り手段と、前記排紙送り手段によって送られる原稿を排紙トレイへ導く排出路と表裏を反転して前記原稿読取部へ戻す帰還路の何れかに切り換える切換手段と、該切換手段によって前記排出路に送られた原稿を前記排紙トレイに排紙する送出手段と、正逆回転する単一の駆動源を有し、前記第１の複写モード、第２の複写モードに応じて前記駆動源からの回転動力を前記繰出手段、前記分離手段、前記レジスト手段、前記搬送手段、前記排紙送り手段、前記切換手段、前記送出手段のそれぞれに選択的に伝達する動力伝達手段と、を備えたことを特徴とする自動原稿送り装置。」
の点で一致し、つぎの点で相違する。
（相違点１）本願発明の自動原稿送り装置は、「２枚の原稿を並設して原稿読取部に位置づけて複写する第３の複写モード」、いわゆる「２in１複写モード」をも実行し、「２in１モード」にも応じて正逆回転する単一の駆動源からの回転動力をそれぞれの手段に選択的に伝達するのに対し、刊行物１には「２in１複写モード」に関する記載がない点。
（相違点２）本願発明では、正逆回転する単一の駆動源からの回転動力を各複写モードに応じて「切換手段」にも選択的に伝達するのに対し、刊行物１には「切換手段」にも選択的に伝達することについて明確には記載されていない点。
　
　以下、相違点について検討する。
（相違点１）について
　自動原稿送り装置においては、「２in１複写モード」は周知の技術である（例えば、刊行物２、刊行物３等参照。）から、刊行物１に記載された発明の自動原稿送り装置においても、「２in１複写モード」をも実行し、そして「２in１モード」にも応じて正逆回転する単一の駆動源からの回転動力をそれぞれの手段に選択的に伝達するようにすることには、格別の困難性は認められない。
　
（相違点２）について
　刊行物１に記載された発明の「自動原稿送り装置（Ｒ−ＡＤＦ）」においては、駆動源はモータＭだけであるし、モータＭの正逆回転に応じた搬送ベルトの回転方向に対応して切換手段は切換えるものであるから、各複写モードに応じて適当に動作すべき「切換手段」に対しても、モータＭ（正逆回転する単一の駆動源）からの回転動力を各複写モードに応じて選択的に伝達するようにすることは、当業者にとっては、通常の設計的事項である。
　
　また、本願発明の効果も、刊行物１の記載や周知技術から、当業者が充分予期し得る程度のことである。
　
４．結論
　以上のとおり、本願の請求項３に係る発明は、本願出願前に国内で頒布された刊行物１に記載された発明及び周知技術に基いて当業者が容易に発明をすることができたものと認められるから、特許法第２９条第２項の規定により特許を受けることができない。
　したがって、他の請求項についての判断を示すまでもなく、本願は拒絶すべきものである。
　よって、結論のとおり審決する。